【手続補正書】
【提出日】平成28年2月24日(2016.2.24)
【手続補正１】
【補正対象書類名】明細書
【補正対象項目名】全文
【補正方法】変更
【補正の内容】
【発明の詳細な説明】
【発明の名称】移動通信システム及び無線基地局
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０までで規定されているＣＡ（Ｃａｒｒｉｅｒ  Ａｇｇｒｅｇａｔｉｏｎ、キャリアアグリゲーション）では、図１２（ａ）に示すように、同一の無線基地局ｅＮＢ配下のＣＣ（Ｃｏｍｐｏｎｅｎｔ  Ｃａｒｒｉｅｒ、コンポーネントキャリア）＃１及びＣＣ＃２を用いて同時通信を行うことで高いスループットを実現することが可能であった。
【０００３】
一方、ＬＴＥ方式のＲｅｌｅａｓｅ-１２では、ＬＴＥ方式のＲｅｌｅａｓｅ-１０までのＣＡを拡張して、図１２（ｂ）に示すように、異なる無線基地局ｅＮＢ＃１/ｅＮＢ＃２配下のＣＣ＃１/ＣＣ＃２を用いて同時通信を行うことで高いスループットを実現する「Ｉｎｔｅｒ-ｅＮＢ  ＣＡ（或いは、Ｉｎｔｅｒ-ｎｏｄｅ  ＵＰ  ａｇｇｒｅｇａｔｉｏｎ）」が検討されている（非特許文献１参照）。
【０００４】
例えば、全てのＣＣを単一の無線基地局ｅＮＢ内に収容することができない場合に、ＬＴＥ方式のＲｅｌｅａｓｅ-１０と同程度のスループットを実現するためには、上述の「Ｉｎｔｅｒ-ｅＮＢ  ＣＡ」を行うことが必要となる。
【０００５】
ここで、図１３に示すように、かかる「Ｉｎｔｅｒ-ｅＮＢ  ＣＡ」を行うために、無線基地局ＭｅＮＢが、アンカーノード（ａｎｃｈｏｒ  ｎｏｄｅ）となって、ゲートウェイ装置Ｓ-ＧＷによって送信されたＰＤＣＰ-ＳＤＵ（Ｐａｃｋｅｔ  Ｃｏｎｖｅｒｇｅｎｃｅ  Ｃｏｎｔｒｏｌ  Ｐｒｏｔｏｃｏｌ-Ｓｅｒｖｉｃｅ  Ｄａｔａ  Ｕｎｉｔ）を、移動局ＵＥ及び無線基地局ＳｅＮＢの何れかに転送するケースが想定される。
【先行技術文献】
【非特許文献】
【０００６】
【非特許文献１】３ＧＰＰ寄書Ｒ２-１３１７８２
【発明の概要】
【発明が解決しようとする課題】
【０００７】
しかしながら、既存のＬＴＥ方式では、上述の「Ｉｎｔｅｒ-ｅＮＢ  ＣＡ」が行われている場合に、「Ｄｉｓｃａｒｄ  ｔｉｍｅｒ制御」についてどのように行うべきかについて明確ではないという問題点があった。
【０００８】
そこで、本発明は、上述の課題に鑑みてなされたものであり、「Ｉｎｔｅｒ-ｅＮＢ  ＣＡ」を行う場合に、適切に「Ｄｉｓｃａｒｄ  ｔｉｍｅｒ制御」を行うことができる移動通信システム及び無線基地局を提供することを目的とする。
【課題を解決するための手段】
【０００９】
本発明の第１の特徴は、移動局が、マスター無線基地局配下のセル及びスレーブ無線基地局配下のセルを用いたキャリアアグリゲーションを行うことができるように構成されている移動通信システムであって、前記キャリアアグリゲーションが行われている場合に、ゲートウェイ装置によって送信されたデータ信号は、前記マスター無線基地局において、前記移動局又は前記スレーブ無線基地局に転送されるように構成されており、前記マスター無線基地局は、前記キャリアアグリゲーションが行われている場合に、前記ゲートウェイ装置から前記データ信号を受信した時点で、所定タイマを起動するように構成されており、前記マスター無線基地局は、前記所定タイマが満了した時点で、前記スレーブ無線基地局に対して、その旨を通知するように構成されており、前記スレーブ無線基地局は、前記通知に応じて、前記マスター無線基地局によって転送された前記データ信号を破棄するように構成されていることを要旨とする。
【００１０】
本発明の第２の特徴は、移動局が、マスター無線基地局配下のセル及びスレーブ無線基地局配下のセルを用いたキャリアアグリゲーションを行うことができるように構成されている移動通信システムであって、前記キャリアアグリゲーションが行われている場合に、ゲートウェイ装置によって送信されたデータ信号は、前記マスター無線基地局において、前記移動局又は前記スレーブ無線基地局に転送されるように構成されており、前記マスター無線基地局は、前記キャリアアグリゲーションが行われている場合に、前記ゲートウェイ装置から前記データ信号を受信した時点で、マスター無線基地局側タイマを起動するように構成されており、前記マスター無線基地局は、前記スレーブ無線基地局に対して、前記データ信号を転送する際に、前記マスター無線基地局側タイマの経過時間についても併せて通知するように構成されており、前記スレーブ無線基地局は、前記マスター無線基地局から前記データ信号を受信した時点で、前記マスター無線基地局側タイマの経過時間を初期値として、スレーブ無線基地局側タイマを起動するように構成されており、前記スレーブ無線基地局は、前記スレーブ無線基地局側タイマが満了した時点で、前記マスター無線基地局によって転送された前記データ信号を破棄するように構成されていることを要旨とする。
【００１１】
本発明の第３の特徴は、移動局が、マスター無線基地局配下のセル及びスレーブ無線基地局配下のセルを用いたキャリアアグリゲーションを行うことができるように構成されている移動通信システムであって、前記キャリアアグリゲーションが行われている場合に、ゲートウェイ装置によって送信されたデータ信号は、前記マスター無線基地局において、前記移動局又は前記スレーブ無線基地局に転送されるように構成されており、前記スレーブ無線基地局は、前記マスター無線基地局から前記データ信号を受信した時点で、所定タイマを起動するように構成されており、前記スレーブ無線基地局は、前記所定タイマが満了した時点で、前記マスター無線基地局によって転送された前記データ信号を破棄するように構成されていることを要旨とする。
【００１２】
本発明の第４の特徴は、移動局が、マスター無線基地局配下のセル及びスレーブ無線基地局配下のセルを用いたキャリアアグリゲーションを行うことができるように構成されており、該キャリアアグリゲーションが行われている場合に、ゲートウェイ装置によって送信されたデータ信号は、該マスター無線基地局において、該移動局又は該スレーブ無線基地局に転送されるように構成されている移動通信システムにおいて、該マスター無線基地局として動作可能な無線基地局であって、前記キャリアアグリゲーションが行われている場合に、前記ゲートウェイ装置から前記データ信号を受信した時点で、所定タイマを起動するように構成されているタイマ管理部と、前記所定タイマが満了した時点で、前記スレーブ無線基地局に対して、その旨を通知するように構成されている送信部とを具備することを要旨とする。
【００１３】
本発明の第５の特徴は、移動局が、マスター無線基地局配下のセル及びスレーブ無線基地局配下のセルを用いたキャリアアグリゲーションを行うことができるように構成されており、該キャリアアグリゲーションが行われている場合に、ゲートウェイ装置によって送信されたデータ信号は、該マスター無線基地局において、該移動局又は該スレーブ無線基地局に転送されるように構成されている移動通信システムにおいて、該マスター無線基地局として動作可能な無線基地局であって、前記キャリアアグリゲーションが行われている場合に、前記ゲートウェイ装置から前記データ信号を受信した時点で、マスター無線基地局側タイマを起動するように構成されているタイマ管理部と、前記スレーブ無線基地局に対して、前記データ信号を転送する際に、前記マスター無線基地局側タイマの経過時間についても併せて通知するように構成されている送信部とを具備することを要旨とする。
【００１４】
本発明の第６の特徴は、移動局が、マスター無線基地局配下のセル及びスレーブ無線基地局配下のセルを用いたキャリアアグリゲーションを行うことができるように構成されており、該キャリアアグリゲーションが行われている場合に、ゲートウェイ装置によって送信されたデータ信号は、該マスター無線基地局において、該移動局又は該スレーブ無線基地局に転送されるように構成されている移動通信システムにおいて、該スレーブ無線基地局として動作可能な無線基地局であって、前記マスター無線基地局から前記データ信号を受信した時点で、該マスター無線基地局によって通知されたマスター無線基地局側タイマの経過時間を初期値として、スレーブ無線基地局側タイマを起動するように構成されているタイマ管理部と、前記スレーブ無線基地局側タイマが満了した時点で、前記マスター無線基地局によって転送された前記データ信号を破棄するように構成されているバッファ管理部とを具備することを要旨とする。
【発明の効果】
【００１５】
以上説明したように、本発明によれば、「Ｉｎｔｅｒ-ｅＮＢ  ＣＡ」を行う場合に、適切に「Ｄｉｓｃａｒｄ  ｔｉｍｅｒ制御」を行うことができる移動通信システム及び無線基地局を提供することができる。
【図面の簡単な説明】
【００１６】
【図１】本発明の第１の実施形態に係る移動通信システムの全体構成図である。
【図２】本発明の第１の実施形態に係る無線基地局ＭｅＮＢの機能ブロック図である。
【図３】本発明の第１の実施形態に係る移動通信システムの動作を示すシーケンス図である。
【図４】本発明の第１の実施形態に係る無線基地局ＭｅＮＢの動作を示すフローチャートである。
【図５】本発明の第２の実施形態に係る移動通信システムの全体構成図である。
【図６】本発明の第２の実施形態に係る無線基地局ＳｅＮＢの機能ブロック図である。
【図７】本発明の第２の実施形態に係る移動通信システムの動作を示すシーケンス図である。
【図８】本発明の第２の実施形態に係る無線基地局ＳｅＮＢの動作を示すフローチャートである。
【図９】本発明の第３の実施形態に係る移動通信システムの全体構成図である。
【図１０】本発明の第３の実施形態に係る移動通信システムの動作を示すシーケンス図である。
【図１１】本発明の第３の実施形態に係る無線基地局ＳｅＮＢの動作を示すフローチャートである。
【図１２】従来技術を説明するための図である。
【図１３】従来技術を説明するための図である。
【発明を実施するための形態】
【００１７】
（本発明の第１の実施形態に係る移動通信システム）
図１乃至図４を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００１８】
図１に示すように、本実施形態に係る移動通信システムは、ゲートウェイ装置Ｓ-ＧＷと、無線基地局ＭｅＮＢと、無線基地局ＳｅＮＢとを具備している。
【００１９】
本実施形態に係る移動通信システムにおいて、無線基地局ＭｅＮＢは、マスター無線基地局（或いは、マクロセルを管理するマクロ無線基地局）であり、無線基地局ＳｅＮＢは、スレーブ無線基地局（或いは、スモールセルを管理するスモール無線基地局）であるものとする。
【００２０】
また、本実施形態に係る移動通信システムでは、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されている。
【００２１】
さらに、本実施形態に係る移動通信システムでは、図１に示すように、ゲートウェイ装置Ｓ-ＧＷによって送信されたＰＤＣＰ-ＳＤＵは、アンカーノードである無線基地局ＭｅＮＢにおいて、移動局ＵＥ又は無線基地局ＳｅＮＢに転送されるように構成されている。
【００２２】
図２に示すように、本実施形態に係る無線基地局ＭｅＮＢは、受信部１１と、タイマ管理部１２と、送信部１３とを具備している。
【００２３】
受信部１１は、ゲートウェイ装置Ｓ-ＧＷや無線基地局ＳｅＮＢや移動局ＵＥから各種信号を受信するように構成されており、タイマ管理部１２は、所定タイマ（「Ｄｉｓｃａｒｄ  ｔｉｍｅｒ」）を管理するように構成されており、送信部１３は、ゲートウェイ装置Ｓ-ＧＷや無線基地局ＳｅＮＢや移動局に対して各種信号を送信するように構成されている。
【００２４】
例えば、送信部１３は、ゲートウェイ装置Ｓ-ＧＷによって送信され受信部１１によって受信された移動局ＵＥ宛てのＰＤＣＰ-ＰＤＵについて、移動局ＵＥ又は無線基地局ＳｅＮＢに対して送信するように構成されている。
【００２５】
また、タイマ管理部１２は、上述の「Ｉｎｔｅｒ-ｅＮＢ  ＣＡ」が行われている場合に、ゲートウェイ装置Ｓ-ＧＷからＰＤＣＰ-ＳＤＵを受信した時点で、所定タイマを起動するように構成されている。
【００２６】
なお、タイマ管理部１２は、かかるＰＤＣＰ-ＰＤＵの移動局ＵＥに対する送信が完了したことを確認した場合に、かかる所定タイマを停止するように構成されている。
【００２７】
例えば、受信部１１が、無線基地局ＳｅＮＢから、かかるＰＤＣＰ-ＰＤＵをトランスポートブロックにマッピングしたこと（或いは、ＲＬＣレイヤに対する送出が開始されたこと）を示す通知、或いは、ＰＤＣＰ-ＰＤＵの送信が完了したことを示す通知を受信した場合、タイマ管理部１２は、かかる所定タイマを停止するように構成されていてもよい。
【００２８】
ここで、上述の所定タイマが、停止されること無く満了した時点で、送信部１３は、無線基地局ＳｅＮＢに対して、その旨を通知するように構成されている。
【００２９】
以下、図３及び図４を参照して、本実施形態に係る移動通信システムの動作について説明する。
【００３０】
第１に、図３を参照して、本実施形態に係る移動通信システムにおいて、ゲートウェイ装置Ｓ-ＧＷから無線基地局ＭｅＮＢに移動局ＵＥ宛てのＰＤＣＰ-ＳＤＵが届いた際の動作について説明する。
【００３１】
図３に示すように、無線基地局ＭｅＮＢは、ステップＳ１００１において、Ｓ１インターフェイスを介してゲートウェイ装置Ｓ-ＧＷから移動局ＵＥ宛てのＰＤＣＰ-ＳＤＵを受信すると、ステップＳ１００２において、所定タイマを起動し、ステップＳ１００３において、無線基地局ＳｅＮＢに対して、かかる移動局ＵＥ宛てのＰＤＣＰ-ＰＤＵを送信する。
【００３２】
無線基地局ＭｅＮＢは、ステップＳ１００４において、上述の所定タイマが停止されること無く満了したことを検出し、無線基地局ＳｅＮＢに対して、その旨（或いは、かかるＰＤＣＰ-ＰＤＵを破棄する旨）を通知する。
【００３３】
ステップＳ１００５において、無線基地局ＳｅＮＢは、かかる通知に応じて、上述のＰＤＣＰ-ＰＤＵを破棄する。
【００３４】
ここで、無線基地局ＳｅＮＢは、かかる通知を受信した場合で、かつ、かかるＰＤＣＰ-ＰＤＵが未だバッファ（送信バッファ或いは受信バッファ）内に滞留している場合に、上述のＰＤＣＰ-ＰＤＵを破棄する。
【００３５】
或いは、無線基地局ＳｅＮＢは、かかる通知を受信した場合で、かつ、かかるＰＤＣＰ-ＰＤＵが既にトランスポートブロックにマッピングされている場合（或いは、ＲＬＣレイヤに対する送出が開始されている場合）であっても、上述のＰＤＣＰ-ＰＤＵを破棄してもよい。
【００３６】
第２に、図４を参照して、本実施形態に係る移動通信システムにおいて、ゲートウェイ装置Ｓ-ＧＷから無線基地局ＭｅＮＢに移動局ＵＥ宛てのＰＤＣＰ-ＳＤＵが届いた際の無線基地局ＭｅＮＢの動作について説明する。
【００３７】
図４に示すように、無線基地局ＭｅＮＢは、ステップＳ１０１において、ゲートウェイ装置Ｓ-ＧＷから移動局ＵＥ宛てのＰＤＣＰ-ＳＤＵを受信すると、ステップＳ１０２において、所定タイマの値ｔを「０」に設定し、かかる所定タイマを起動する。
【００３８】
ここで、無線基地局ＭｅＮＢは、無線基地局ＳｅＮＢに対して、かかる移動局ＵＥ宛てのＰＤＣＰ-ＰＤＵを送信する。
【００３９】
ステップＳ１０３において、無線基地局ＭｅＮＢは、所定タイマの値ｔが閾値を超えているか否かについて判定する。
【００４０】
所定タイマの値ｔが閾値を超えていると判定された場合、本動作はステップＳ１０４に進み、所定タイマの値ｔが閾値を超えていないと判定された場合、本動作はステップＳ１０５に進む。
【００４１】
ステップＳ１０４において、無線基地局ＭｅＮＢは、無線基地局ＳｅＮＢに対して、上述の移動局ＵＥ宛てのＰＤＣＰ-ＰＤＵを破棄するように指示する通知（或いは、上述の所定タイマが停止されること無く満了した旨の通知）を送信する。
【００４２】
一方、ステップＳ１０５において、無線基地局ＭｅＮＢは、所定タイマの値ｔを１だけカウントアップする。
【００４３】
なお、上述の記載では、所定タイマとして、カウントアップ方式のタイマを用いているが、カウントダウン方式のタイマを用いてもよい。
【００４４】
本実施形態に係る移動通信システムによれば、上述の「Ｉｎｔｅｒ-ｅＮＢ  ＣＡ」が行われている場合には、無線基地局ＭｅＮＢにおいてゲートウェイ装置Ｓ-ＧＷからのＰＤＣＰ-ＳＤＵが受信された時点、すなわち、ゲートウェイ装置Ｓ-ＧＷからのＰＤＣＰ-ＳＤＵが無線アクセスネットワークに到達した時点を基準として「Ｄｉｓｃａｒｄ  ｔｉｍｅｒ制御」を行うことができる。
【００４５】
（本発明の第２の実施形態に係る移動通信システム）
図５乃至図８を参照して、本発明の第２の実施形態に係る移動通信システムについて、上述の第１の実施形態に係る移動通信システムとの相違点に着目して説明する。
【００４６】
図５に示すように、本実施形態に係る移動通信システムでは、無線基地局ＭｅＮＢのタイマ管理部１２は、上述の「Ｉｎｔｅｒ-ｅＮＢ  ＣＡ」が行われている場合に、ゲートウェイ装置Ｓ-ＧＷからＰＤＣＰ-ＳＤＵを受信した時点で、無線基地局ＭｅＮＢ側タイマ（「Ｄｉｓｃａｒｄ  ｔｉｍｅｒ」）を起動するように構成されている。
【００４７】
また、無線基地局ＭｅＮＢの送信部１３は、無線基地局ＳｅＮＢに対して、移動局ＵＥ宛てのＰＤＣＰ-ＰＤＵを転送する際に、かかる無線基地局ＭｅＮＢ側タイマの経過時間（無線基地局ＭｅＮＢ側タイマの計測値）についても併せて通知するように構成されている。
【００４８】
図６に示すように、本実施形態に係る無線基地局ＳｅＮＢは、受信部２１と、タイマ管理部２２と、送信部２３とを具備している。
【００４９】
受信部２１は、ゲートウェイ装置Ｓ-ＧＷや無線基地局ＭｅＮＢや移動局から各種信号を受信するように構成されており、タイマ管理部２２は、無線基地局ＳｅＮＢ側タイマ（「Ｄｉｓｃａｒｄ  ｔｉｍｅｒ」）を管理するように構成されており、送信部２３は、ゲートウェイ装置Ｓ-ＧＷや無線基地局ＭｅＮＢや移動局に対して各種信号を送信するように構成されている。
【００５０】
ここで、受信部２１が、無線基地局ＭｅＮＢからＰＤＣＰ-ＰＤＵを受信した時点で、タイマ管理部２２は、無線基地局ＭｅＮＢによって通知された無線基地局ＭｅＮＢ側タイマの経過時間を初期値として、無線基地局ＳｅＮＢ側タイマを起動するように構成されている。
【００５１】
なお、かかる無線基地局ＳｅＮＢ側タイマが満了した時点で、送信部２３は、無線基地局ＭｅＮＢによって転送され送信バッファに滞留しているＰＤＣＰ-ＰＤＵ（或いは、既にトランスポートブロックにマッピングされているが未だＡＣＫが受信されていないＰＤＣＰ-ＰＤＵや、ＲＬＣレイヤに対する送出が開始されているが未だＡＣＫが受信されていないＰＤＣＰ-ＰＤＵ等）を破棄するように構成されている。
【００５２】
或いは、かかる無線基地局ＳｅＮＢ側タイマが満了した時点で、受信部２１は、無線基地局ＭｅＮＢによって転送され受信バッファに滞留しているＰＤＣＰ-ＰＤＵを破棄するように構成されている。
【００５３】
以下、図７及び図８を参照して、本実施形態に係る移動通信システムの動作について説明する。
【００５４】
第１に、図７を参照して、本実施形態に係る移動通信システムにおいて、ゲートウェイ装置Ｓ-ＧＷから無線基地局ＭｅＮＢに移動局ＵＥ宛てのＰＤＣＰ-ＳＤＵが届いた際の動作について説明する。
【００５５】
図７に示すように、無線基地局ＭｅＮＢは、ステップＳ２００１において、Ｓ１インターフェイスを介してゲートウェイ装置Ｓ-ＧＷから移動局ＵＥ宛てのＰＤＣＰ-ＳＤＵを受信すると、ステップＳ２００２において、無線基地局ＭｅＮＢ側タイマを起動し、ステップＳ２００３において、無線基地局ＳｅＮＢに対して、かかる移動局ＵＥ宛てのＰＤＣＰ-ＰＤＵを送信すると共に、かかる無線基地局ＭｅＮＢ側タイマの経過時間を通知する。
【００５６】
ここで、無線基地局ＭｅＮＢは、無線基地局ＳｅＮＢに対して、かかる移動局ＵＥ宛てのＰＤＣＰ-ＰＤＵを送信する前に、無線基地局ＭｅＮＢ側タイマが満了した場合には、かかるＰＤＣＰ-ＰＤＵを破棄してもよい。
【００５７】
また、無線基地局ＭｅＮＢは、無線基地局ＭｅＮＢと無線基地局ＳｅＮＢとの間の転送遅延を考慮して、上述の無線基地局ＭｅＮＢ側タイマの経過時間を調整してもよい。
【００５８】
なお、無線基地局ＭｅＮＢは、かかる転送遅延について、自身で測定してもよいし、無線基地局ＳｅＮＢから取得してもよい。
【００５９】
ステップＳ２００４において、無線基地局ＳｅＮＢは、無線基地局ＭｅＮＢによって通知された無線基地局ＭｅＮＢ側タイマの経過時間を初期値として、無線基地局ＳｅＮＢ側タイマを起動する。
【００６０】
ここで、無線基地局ＳｅＮＢは、無線基地局ＭｅＮＢ側タイマの経過時間に加えて、無線基地局ＭｅＮＢと無線基地局ＳｅＮＢとの間の転送遅延を考慮して、無線基地局ＳｅＮＢ側タイマの初期値を設定してもよい。
【００６１】
なお、無線基地局ＳｅＮＢは、かかる転送遅延について、自身で測定してもよいし、無線基地局ＭｅＮＢから取得してもよい。
【００６２】
ステップＳ２００５において、無線基地局ＳｅＮＢは、無線基地局ＳｅＮＢ側タイマが停止することなく満了した場合、上述のＰＤＣＰ-ＰＤＵを破棄する。
【００６３】
ここで、無線基地局ＳｅＮＢは、無線基地局ＳｅＮＢ側タイマが停止することなく満了した場合で、かつ、かかるＰＤＣＰ-ＰＤＵが未だバッファ（送信バッファ或いは受信バッファ）内に滞留している場合に、上述のＰＤＣＰ-ＰＤＵを破棄する。
【００６４】
或いは、無線基地局ＳｅＮＢは、無線基地局ＳｅＮＢ側タイマが停止することなく満了した場合で、かつ、かかるＰＤＣＰ-ＰＤＵが既にトランスポートブロックにマッピングされている場合（或いは、ＲＬＣレイヤに対する送出が開始されている場合）であっても、上述のＰＤＣＰ-ＰＤＵを破棄してもよい。
【００６５】
第２に、図８を参照して、本実施形態に係る移動通信システムにおいて、ゲートウェイ装置Ｓ-ＧＷから無線基地局ＭｅＮＢに移動局ＵＥ宛てのＰＤＣＰ-ＳＤＵが届いた際の無線基地局ＳｅＮＢの動作について説明する。
【００６６】
図８に示すように、無線基地局ＳｅＮＢは、ステップＳ２０１において、無線基地局ＭｅＮＢから移動局ＵＥ宛てのＰＤＣＰ-ＰＤＵを受信すると、ステップＳ２０２において、無線基地局ＳｅＮＢ側タイマの値ｔを初期値（無線基地局ＭｅＮＢによって通知された無線基地局ＭｅＮＢ側タイマの経過時間）に設定し、かかる無線基地局ＳｅＮＢ側タイマを起動する。
【００６７】
ステップＳ２０３において、無線基地局ＳｅＮＢは、無線基地局ＳｅＮＢ側タイマの値ｔが閾値を超えているか否かについて判定する。
【００６８】
無線基地局ＳｅＮＢ側タイマの値ｔが閾値を超えていると判定された場合、本動作はステップＳ２０４に進み、無線基地局ＳｅＮＢ側タイマの値ｔが閾値を超えていないと判定された場合、本動作はステップＳ２０５に進む。
【００６９】
ステップＳ２０４において、無線基地局ＳｅＮＢは、上述の移動局ＵＥ宛てのＰＤＣＰ-ＰＤＵを破棄する。
【００７０】
一方、ステップＳ２０５において、無線基地局ＳｅＮＢは、無線基地局ＳｅＮＢ側タイマの値ｔを１だけカウントアップする。
【００７１】
なお、上述の記載では、無線基地局ＳｅＮＢ側タイマとして、カウントアップ方式のタイマを用いているが、カウントダウン方式のタイマを用いてもよい。また、無線基地局ＭｅＮＢ側タイマとして、カウントアップ方式のタイマを用いていてもよいし、カウントダウン方式のタイマを用いてもよい。
【００７２】
本実施形態に係る移動通信システムによれば、上述の「Ｉｎｔｅｒ-ｅＮＢ  ＣＡ」が行われている場合には、無線基地局ＭｅＮＢにおいてゲートウェイ装置Ｓ-ＧＷからのＰＤＣＰ-ＳＤＵが受信された時点、すなわち、ゲートウェイ装置Ｓ-ＧＷからのＰＤＣＰ-ＳＤＵが無線アクセスネットワークに到達した時点を基準として「Ｄｉｓｃａｒｄ  ｔｉｍｅｒ制御」を行うことができる。
【００７３】
（本発明の第３の実施形態に係る移動通信システム）
図９乃至図１１を参照して、本発明の第３の実施形態に係る移動通信システムについて、上述の第１及び第２の実施形態に係る移動通信システムとの相違点に着目して説明する。
【００７４】
図９に示すように、本実施形態に係る移動通信システムでは、無線基地局ＳｅＮＢのタイマ管理部２２は、上述の「Ｉｎｔｅｒ-ｅＮＢ  ＣＡ」が行われている場合に、無線基地局ＭｅＮＢからＰＤＣＰ-ＰＤＵを受信した時点で、所定タイマを起動するように構成されている。
【００７５】
また、無線基地局ＳｅＮＢの受信部２１又は送信部２３は、かかる所定タイマが満了した時点で、無線基地局ＭｅＮＢによって転送されたＰＤＣＰ-ＰＤＵを破棄するように構成されている。
【００７６】
以下、図１０及び図１１を参照して、本実施形態に係る移動通信システムの動作について説明する。
【００７７】
第１に、図１０を参照して、本実施形態に係る移動通信システムにおいて、ゲートウェイ装置Ｓ-ＧＷから無線基地局ＭｅＮＢに移動局ＵＥ宛てのＰＤＣＰ-ＳＤＵが届いた際の動作について説明する。
【００７８】
図１０に示すように、無線基地局ＭｅＮＢは、ステップＳ３００１において、Ｓ１インターフェイスを介してゲートウェイ装置Ｓ-ＧＷから移動局ＵＥ宛てのＰＤＣＰ-ＳＤＵを受信すると、ステップＳ３００２において、無線基地局ＳｅＮＢに対して、かかる移動局ＵＥ宛てのＰＤＣＰ-ＰＤＵを送信する。
【００７９】
ステップＳ３００３において、無線基地局ＳｅＮＢは、無線基地局ＭｅＮＢから移動局ＵＥ宛てのＰＤＣＰ-ＰＤＵを受信した時点で、所定タイマを起動する。
【００８０】
ステップＳ３００４において、無線基地局ＳｅＮＢは、所定タイマが停止することなく満了した場合、上述のＰＤＣＰ-ＰＤＵを破棄する。
【００８１】
ここで、無線基地局ＳｅＮＢは、所定タイマが停止することなく満了した場合で、かつ、かかるＰＤＣＰ-ＰＤＵが未だバッファ（送信バッファ或いは受信バッファ）内に滞留している場合に、上述のＰＤＣＰ-ＰＤＵを破棄する。
【００８２】
或いは、無線基地局ＳｅＮＢは、所定タイマが停止することなく満了した場合で、かつ、かかるＰＤＣＰ-ＰＤＵが既にトランスポートブロックにマッピングされている場合（或いは、ＲＬＣレイヤに対する送出が開始されている場合）であっても、上述のＰＤＣＰ-ＰＤＵを破棄してもよい。
【００８３】
第２に、図１１を参照して、本実施形態に係る移動通信システムにおいて、ゲートウェイ装置Ｓ-ＧＷから無線基地局ＭｅＮＢに移動局ＵＥ宛てのＰＤＣＰ-ＳＤＵが届いた際の無線基地局ＳｅＮＢの動作について説明する。
【００８４】
図１１に示すように、無線基地局ＳｅＮＢは、ステップＳ３０１において、無線基地局ＭｅＮＢから移動局ＵＥ宛てのＰＤＣＰ-ＰＤＵを受信すると、ステップＳ３０２において、所定タイマの値ｔを「０」に設定し、かかる所定タイマを起動する。
【００８５】
ステップＳ３０３において、無線基地局ＳｅＮＢは、所定タイマの値ｔが閾値を超えているか否かについて判定する。
【００８６】
所定タイマの値ｔが閾値を超えていると判定された場合、本動作はステップＳ３０４に進み、所定タイマの値ｔが閾値を超えていないと判定された場合、本動作はステップＳ３０５に進む。
【００８７】
ステップＳ３０４において、無線基地局ＳｅＮＢは、上述の移動局ＵＥ宛てのＰＤＣＰ-ＰＤＵを破棄する。
【００８８】
一方、ステップＳ３０５において、無線基地局ＳｅＮＢは、所定タイマの値ｔを１だけカウントアップする。
【００８９】
上述の記載では、所定タイマとして、カウントアップ方式のタイマを用いているが、カウントダウン方式のタイマを用いてもよい。
【００９０】
本実施形態に係る移動通信システムによれば、上述の「Ｉｎｔｅｒ-ｅＮＢ  ＣＡ」が行われている場合には、無線基地局ＳｅＮＢにおいてゲートウェイ装置Ｓ-ＧＷからのＰＤＣＰ-ＰＤＵが受信された時点、すなわち、ゲートウェイ装置Ｓ-ＧＷからのＰＤＣＰ-ＰＤＵを最終的に移動局ＵＥに対して送信するノードに到達した時点を基準として「Ｄｉｓｃａｒｄ  ｔｉｍｅｒ制御」を行うことができる。
【００９１】
以上に述べた本実施形態の特徴は、以下のように表現されていてもよい。
【００９２】
本実施形態の第１の特徴は、移動局ＵＥが、無線基地局ＭｅＮＢ（マスター無線基地局）配下のセル及び無線基地局ＳｅＮＢ（スレーブ無線基地局）配下のセルを用いた「Ｉｎｔｅｒ-ｅＮＢ  ＣＡ（キャリアアグリゲーション）」を行うことができるように構成されている移動通信システムであって、かかる「Ｉｎｔｅｒ-ｅＮＢ  ＣＡ」が行われている場合に、ゲートウェイ装置Ｓ-ＧＷによって送信されたＰＤＣＰ-ＳＤＵ（データ信号）は、無線基地局ＭｅＮＢにおいて、移動局ＵＥ又は無線基地局ＳｅＮＢに転送されるように構成されており、無線基地局ＭｅＮＢは、かかる「Ｉｎｔｅｒ-ｅＮＢ  ＣＡ」が行われている場合に、ゲートウェイ装置Ｓ-ＧＷからＰＤＣＰ-ＳＤＵを受信した時点で、所定タイマを起動するように構成されており、無線基地局ＭｅＮＢは、所定タイマが満了した時点で、無線基地局ＳｅＮＢに対して、その旨を通知するように構成されており、無線基地局ＳｅＮＢは、かかる通知に応じて、無線基地局ＭｅＮＢによって転送されたＰＤＣＰ-ＰＤＵを破棄するように構成されていることを要旨とする。
【００９３】
本実施形態の第２の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されている移動通信システムであって、かかる「Ｉｎｔｅｒ-ｅＮＢ  ＣＡ」が行われている場合に、ゲートウェイ装置Ｓ-ＧＷによって送信されたＰＤＣＰ-ＳＤＵは、無線基地局ＭｅＮＢにおいて、移動局ＵＥ又は無線基地局ＳｅＮＢに転送されるように構成されており、無線基地局ＭｅＮＢは、上述の「Ｉｎｔｅｒ-ｅＮＢ  ＣＡ」が行われている場合に、ゲートウェイ装置Ｓ-ＧＷからＰＤＣＰ-ＳＤＵを受信した時点で、無線基地局ＭｅＮＢ側タイマを起動するように構成されており、無線基地局ＭｅＮＢは、無線基地局ＳｅＭＢに対して、ＰＤＣＰ-ＰＤＵを転送する際に、無線基地局ＭｅＮＢ側タイマの経過時間についても併せて通知するように構成されており、無線基地局ＳｅＮＢは、無線基地局ＭｅＮＢからＰＤＣＰ-ＰＤＵを受信した時点で、かかる無線基地局ＭｅＮＢ側タイマの経過時間を初期値として、無線基地局ＳｅＮＢ側タイマを起動するように構成されており、無線基地局ＳｅＮＢは、かかる無線基地局ＳｅＮＢ側タイマが満了した時点で、無線基地局ＭｅＮＢによって転送されたＰＤＣＰ-ＰＤＵを破棄するように構成されていることを要旨とする。
【００９４】
本実施形態の第３の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されている移動通信システムであって、かかる「Ｉｎｔｅｒ-ｅＮＢ  ＣＡ」が行われている場合に、ゲートウェイ装置Ｓ-ＧＷによって送信されたＰＤＣＰ-ＳＤＵは、無線基地局ＭｅＮＢにおいて、移動局ＵＥ又は無線基地局ＳｅＮＢに転送されるように構成されており、無線基地局ＳｅＮＢは、無線基地局ＭｅＮＢからＰＤＣＰ-ＰＤＵを受信した時点で、所定タイマを起動するように構成されており、無線基地局ＳｅＮＢは、かかる所定タイマが満了した時点で、無線基地局ＭｅＮＢによって転送されたＰＤＣＰ-ＰＤＵを破棄するように構成されていることを要旨とする。
【００９５】
本実施形態の第４の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されており、かかる「Ｉｎｔｅｒ-ｅＮＢ  ＣＡ」が行われている場合に、ゲートウェイ装置Ｓ-ＧＷによって送信されたＰＤＣＰ-ＳＤＵは、無線基地局ＭｅＮＢにおいて、移動局ＵＥ又は無線基地局ＳｅＮＢに転送されるように構成されている移動通信システムにおいて、無線基地局ＭｅＮＢとして動作可能な無線基地局ｅＮＢであって、かかる「Ｉｎｔｅｒ-ｅＮＢ  ＣＡ」が行われている場合に、ゲートウェイ装置Ｓ-ＧＷからＰＤＣＰ-ＳＤＵを受信した時点で、所定タイマを起動するように構成されているタイマ管理部１２と、所定タイマが満了した時点で、無線基地局ＳｅＮＢに対して、その旨を通知するように構成されている送信部１３とを具備することを要旨とする。
【００９６】
本実施形態の第５の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されており、かかる「Ｉｎｔｅｒ-ｅＮＢ  ＣＡ」が行われている場合に、ゲートウェイ装置Ｓ-ＧＷによって送信されたＰＤＣＰ-ＳＤＵは、無線基地局ＭｅＮＢにおいて、移動局ＵＥ又は無線基地局ＳｅＮＢに転送されるように構成されている移動通信システムにおいて、無線基地局ＭｅＮＢとして動作可能な無線基地局ｅＮＢであって、かかる「Ｉｎｔｅｒ-ｅＮＢ  ＣＡ」が行われている場合に、ゲートウェイ装置Ｓ-ＧＷからＰＤＣＰ-ＳＤＵを受信した時点で、無線基地局ＭｅＮＢ側タイマを起動するように構成されているタイマ管理部１２と、無線基地局ＳｅＮＢに対して、ＰＤＣＰ-ＰＤＵを転送する際に、かかる無線基地局ＭｅＮＢ側タイマの経過時間についても併せて通知するように構成されている送信部１３とを具備することを要旨とする。
【００９７】
本実施形態の第６の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されており、かかる「Ｉｎｔｅｒ-ｅＮＢ  ＣＡ」が行われている場合に、ゲートウェイ装置Ｓ-ＧＷによって送信されたＰＤＣＰ-ＳＤＵは、無線基地局ＭｅＮＢにおいて、移動局ＵＥ又は無線基地局ＳｅＮＢに転送されるように構成されている移動通信システムにおいて、無線基地局ＳｅＮＢとして動作可能な無線基地局ｅＮＢであって、無線基地局ＭｅＮＢからＰＤＣＰ-ＰＤＵを受信した時点で、無線基地局ＭｅＮＢによって通知された無線基地局ＭｅＮＢ側タイマの経過時間を初期値として、無線基地局ＳｅＮＢ側タイマを起動するように構成されているタイマ管理部２２と、無線基地局ＳｅＮＢ側タイマが満了した時点で、無線基地局ＭｅＮＢによって転送されたＰＤＣＰ-ＰＤＵを破棄するように構成されている受信部２１又は送信部２３とを具備することを要旨とする。
【００９８】
なお、上述の無線基地局ＭｅＮＢ/ＳｅＮＢの動作は、ハードウェアによって実施されてもよいし、プロセッサによって実行されるソフトウェアモジュールによって実施されてもよいし、両者の組み合わせによって実施されてもよい。
【００９９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１００】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＭｅＮＢ/ＳｅＮＢ内に設けられていてもよい。また、かかる記憶媒体及びプロセッサは、ディスクリートコンポーネントとして無線基地局ＭｅＮＢ/ＳｅＮＢ内に設けられていてもよい。
【０１０１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０２】
ＵＥ…移動局
ＭｅＮＢ/ＳｅＮＢ…無線基地局
１１、２１…受信部
１２、２２…タイマ管理部
１３、２３…送信部
【手続補正２】
【補正対象書類名】特許請求の範囲
【補正対象項目名】全文
【補正方法】変更
【補正の内容】
【特許請求の範囲】
【請求項１】
移動局が、マスター無線基地局配下のセル及びスレーブ無線基地局配下のセルを用いたキャリアアグリゲーションを行うことができるように構成されている移動通信システムであって、
前記キャリアアグリゲーションが行われている場合に、ゲートウェイ装置によって送信されたデータ信号は、前記マスター無線基地局において、前記移動局又は前記スレーブ無線基地局に転送されるように構成されており、
前記マスター無線基地局は、前記キャリアアグリゲーションが行われている場合に、前記ゲートウェイ装置から前記データ信号を受信した時点で、所定タイマを起動するように構成されており、
前記マスター無線基地局は、前記所定タイマが満了した時点で、前記スレーブ無線基地局に対して、その旨を通知するように構成されており、
前記スレーブ無線基地局は、前記通知に応じて、前記マスター無線基地局によって転送された前記データ信号を破棄するように構成されていることを特徴とする移動通信システム。
【請求項２】
移動局が、マスター無線基地局配下のセル及びスレーブ無線基地局配下のセルを用いたキャリアアグリゲーションを行うことができるように構成されている移動通信システムであって、
前記キャリアアグリゲーションが行われている場合に、ゲートウェイ装置によって送信されたデータ信号は、前記マスター無線基地局において、前記移動局又は前記スレーブ無線基地局に転送されるように構成されており、
前記マスター無線基地局は、前記キャリアアグリゲーションが行われている場合に、前記ゲートウェイ装置から前記データ信号を受信した時点で、マスター無線基地局側タイマを起動するように構成されており、
前記マスター無線基地局は、前記スレーブ無線基地局に対して、前記データ信号を転送する際に、前記マスター無線基地局側タイマの経過時間についても併せて通知するように構成されており、
前記スレーブ無線基地局は、前記マスター無線基地局から前記データ信号を受信した時点で、前記マスター無線基地局側タイマの経過時間を初期値として、スレーブ無線基地局側タイマを起動するように構成されており、
前記スレーブ無線基地局は、前記スレーブ無線基地局側タイマが満了した時点で、前記マスター無線基地局によって転送された前記データ信号を破棄するように構成されていることを特徴とする移動通信システム。
【請求項３】
移動局が、マスター無線基地局配下のセル及びスレーブ無線基地局配下のセルを用いたキャリアアグリゲーションを行うことができるように構成されている移動通信システムであって、
前記キャリアアグリゲーションが行われている場合に、ゲートウェイ装置によって送信されたデータ信号は、前記マスター無線基地局において、前記移動局又は前記スレーブ無線基地局に転送されるように構成されており、
前記スレーブ無線基地局は、前記マスター無線基地局から前記データ信号を受信した時点で、所定タイマを起動するように構成されており、
前記スレーブ無線基地局は、前記所定タイマが満了した時点で、前記マスター無線基地局によって転送された前記データ信号を破棄するように構成されていることを特徴とする移動通信システム。
【請求項４】
移動局が、マスター無線基地局配下のセル及びスレーブ無線基地局配下のセルを用いたキャリアアグリゲーションを行うことができるように構成されており、該キャリアアグリゲーションが行われている場合に、ゲートウェイ装置によって送信されたデータ信号は、該マスター無線基地局において、該移動局又は該スレーブ無線基地局に転送されるように構成されている移動通信システムにおいて、該マスター無線基地局として動作可能な無線基地局であって、
前記キャリアアグリゲーションが行われている場合に、前記ゲートウェイ装置から前記データ信号を受信した時点で、所定タイマを起動するように構成されているタイマ管理部と、
前記所定タイマが満了した時点で、前記スレーブ無線基地局に対して、その旨を通知するように構成されている送信部とを具備することを特徴とする無線基地局。
【請求項５】
移動局が、マスター無線基地局配下のセル及びスレーブ無線基地局配下のセルを用いたキャリアアグリゲーションを行うことができるように構成されており、該キャリアアグリゲーションが行われている場合に、ゲートウェイ装置によって送信されたデータ信号は、該マスター無線基地局において、該移動局又は該スレーブ無線基地局に転送されるように構成されている移動通信システムにおいて、該マスター無線基地局として動作可能な無線基地局であって、
前記キャリアアグリゲーションが行われている場合に、前記ゲートウェイ装置から前記データ信号を受信した時点で、マスター無線基地局側タイマを起動するように構成されているタイマ管理部と、
前記スレーブ無線基地局に対して、前記データ信号を転送する際に、前記マスター無線基地局側タイマの経過時間についても併せて通知するように構成されている送信部とを具備することを特徴とする無線基地局。
【請求項６】
移動局が、マスター無線基地局配下のセル及びスレーブ無線基地局配下のセルを用いたキャリアアグリゲーションを行うことができるように構成されており、該キャリアアグリゲーションが行われている場合に、ゲートウェイ装置によって送信されたデータ信号は、該マスター無線基地局において、該移動局又は該スレーブ無線基地局に転送されるように構成されている移動通信システムにおいて、該スレーブ無線基地局として動作可能な無線基地局であって、
前記マスター無線基地局から前記データ信号を受信した時点で、該マスター無線基地局によって通知されたマスター無線基地局側タイマの経過時間を初期値として、スレーブ無線基地局側タイマを起動するように構成されているタイマ管理部と、
前記スレーブ無線基地局側タイマが満了した時点で、前記マスター無線基地局によって転送された前記データ信号を破棄するように構成されているバッファ管理部とを具備することを特徴とする無線基地局。
【手続補正３】
【補正対象書類名】図面
【補正対象項目名】全図
【補正方法】変更
【補正の内容】
【図１】
2015070317.tif 000001
【図２】
2015070317.tif 000002
【図３】
2015070317.tif 000003
【図４】
2015070317.tif 000004
【図５】
2015070317.tif 000005
【図６】
2015070317.tif 000006
【図７】
2015070317.tif 000007
【図８】
2015070317.tif 000008
【図９】
2015070317.tif 000009
【図１０】
2015070317.tif 000010
【図１１】
2015070317.tif 000011
【図１２】
2015070317.tif 000012
【図１３】
2015070317.tif 000013